(57)【要約】【課題】訓練対象者に、ガス漏れが起きている現場に近い環境を、実際に体感させることができる訓練設備を提供する。【解決手段】訓練対象者１０１が侵入可能な体感空間Ｖ１と、酸素を含有しない試験ガスＧを前記体感空間Ｖ１の内部へ供給するガス供給手段と、前記体感空間Ｖ１の内部における酸素濃度を測定する酸素濃度測定手段Ｓ１、Ｓ２と、前記酸素濃度測定手段Ｓ１、Ｓ２にて測定された酸素濃度を表示する酸素濃度表示部Ｍ１、Ｍ２とを備え、前記体感空間Ｖ１が、内部の気体の水平方向への拡散を防止する隔壁２０ａにて側方外部空間Ｖ２と仕切られていると共に、前記隔壁２０ａには、前記酸素濃度表示部Ｍ１、Ｍ２を前記側方外部空間Ｖ２から視認可能な視認窓２２が設けられている。【選択図】図１
2014002214.tif 000002
【特許請求の範囲】
【請求項１】
訓練対象者が侵入可能な体感空間と、
酸素を含有しない試験ガスを前記体感空間の内部へ供給するガス供給手段と、
前記体感空間の内部における酸素濃度を測定する酸素濃度測定手段と、
前記酸素濃度測定手段にて測定された酸素濃度を表示する酸素濃度表示部とを備え、
前記体感空間が、内部の気体の水平方向への拡散を防止する隔壁にて側方外部空間と仕切られていると共に、前記隔壁には、前記酸素濃度表示部を前記側方外部空間から視認可能な視認窓が設けられているガス保安訓練設備。
【請求項２】
前記体感空間は、その上方が開放されると共に、地中に埋設する状態で設置されている請求項１に記載のガス保安訓練設備。
【請求項３】
前記ガス供給手段は、前記体感空間の内部において、前記試験ガスを所定の流れ方向に供給するものであり、
前記酸素濃度測定手段が、前記試験ガスの流れ方向に沿って、複数の地点で酸素濃度を測定可能に構成され、
前記酸素濃度表示部が、前記酸素濃度測定手段にて測定された複数の測定結果を、前記複数の地点の位置関係に対応させる状態で、表示可能に構成されている請求項１又は２に記載のガス保安訓練設備。
【請求項４】
前記ガス供給手段は、前記体感空間の内部に前記試験ガスを供給するガス流出口を、前記体感空間の内部に設けると共に、
前記酸素濃度測定手段が、前記体感空間の内部のうち、前記ガス流出口の近傍の近傍位置の酸素濃度を測定可能に構成されていると共に、前記ガス流出口から離間した離間位置の酸素濃度を測定可能に構成されている請求項１又は２に記載のガス保安訓練設備。
【請求項５】
前記ガス供給手段は、前記試験ガスと共に、当該試験ガスの存在を視覚的に認識可能な有色ガスを供給する請求項１〜４の何れか一項に記載のガス保安訓練設備。
【請求項６】
前記体感空間は、その一部に上部が覆われた擬似掘削空間を有し、
前記ガス供給手段として前記試験ガスを供給するガス流出口が、前記擬似掘削空間に設けられている請求項１〜５の何れか一項に記載のガス保安訓練設備。
【発明の詳細な説明】
【技術分野】
【０００１】
本発明は、訓練対象者に現場に近い環境を体感させるガス保安訓練設備に関する。
【背景技術】
【０００２】
従来、ガス保安訓練設備として、モニタ画面との対話を通じて訓練を行うタイプの訓練システムが知られている（特許文献１を参照）。当該訓練システムでは、モニタ画面の現場画面表示部に表示された現場画面によって、保安作業現場を擬似体験できるように構成されている。
【先行技術文献】
【特許文献】
【０００３】
【特許文献１】特開２００６−１３９１６３号公報
【発明の開示】
【発明が解決しようとする課題】
【０００４】
上記特許文献１に開示の訓練システムでは、訓練対象者は、モニタ画面の現場画面表示部を通じての訓練しか経験できないため、実際に体を動かすことはないと共に、臨場感が不十分となるから、所謂、体で覚えるといった訓練成果を得ることはできなかった。このため、当該訓練システムによる訓練は、実際には、大きな緊張のもとでの迅速で冷静な行動が必要とされるガス漏れや火災に対する訓練としては、不十分であった。
また、ガス漏れ時においては、現場にて、当該ガスによる酸素濃度の低下が生じて、その場にいるガス保安員等が酸欠になる虞があったが、そのような環境について、体感できるものではなかった。
【０００５】
本発明は、上述の課題に鑑みてなされたものであり、その目的は、訓練対象者に、ガス漏れが起きている現場に近い環境を、実際に体感させることができると共に、当該現場にてガス漏れが起きている状況における酸素濃度の変化状態を、体感させることができるガス保安訓練設備を提供することにある。
【課題を解決するための手段】
【０００６】
上記目的を達成するためのガス保安訓練設備の特徴構成は、
訓練対象者が侵入可能な体感空間と、
酸素を含有しない試験ガスを前記体感空間の内部へ供給するガス供給手段と、
前記体感空間の内部における酸素濃度を測定する酸素濃度測定手段と、
前記酸素濃度測定手段にて測定された酸素濃度を表示する酸素濃度表示部とを備え、
前記体感空間が、内部の気体の水平方向への拡散を防止する隔壁にて側方外部空間と仕切られていると共に、前記隔壁には、前記酸素濃度表示部を前記側方外部空間から視認可能な視認窓が設けられている点にある。
【０００７】
上記特徴構成によれば、例えば、体感空間を、ガス漏洩等が発生する現場を再現したものとすることで、訓練対象者を当該体感空間の内部に侵入させると、臨場感のある現場に近い環境を体感させることができ、所謂、体で覚えるといった訓練を実現することができる。これにより、訓練対象者に、実際の事故現場の立会いに近い経験を積ませることができる。
ここで、上述のような体感空間において、その内部にてガス漏れが発生した場合、酸素濃度が低下することがある。しかしながら、訓練対象者を侵入させた状態で、体感空間の酸素濃度が低下すると、窒息等の虞がある。
そこで、上記特徴構成にあっては、体感空間とその外側の側方外部空間との間を隔離する隔壁に、体感空間の内部に設けられている酸素濃度表示部を、体感空間の外部の側方外部空間から確認可能な視認窓を設け、訓練対象者が、体感空間の外部の側方外部空間から、体感空間の内部の酸素濃度表示部を視認可能な構成を採用している。これにより、訓練対象者は、窒息等することなく、体感空間における酸素濃度の変化状態を、視覚的に体感できる。
【０００８】
本発明のガス保安訓練設備の更なる特徴構成は、
前記体感空間は、その上方が開放されると共に、地中に埋設する状態で設置されている点にある。
【０００９】
上記特徴構成によれば、その上方が開放されると共に、体感空間を地中に設置しているから、例えば、地面を掘削等して、半密閉化された空間内でガス配管を損傷してガス漏れが生じた場合の現場を、より忠実に再現できる。結果、訓練対象者は、より現場に近い環境を体感できる。
さらに、体感空間を上述の如く実際の現場を再現したものとすることで、その内部における酸素濃度の変化状態を、実際の現場での酸素濃度の変化状態に近いものとできる。結果、訓練対象者に対し、より現場の状況に即した酸素濃度の変化状態を、視覚的に体感させることができる。
【００１０】
本発明のガス保安訓練設備の更なる特徴構成は、
前記ガス供給手段は、前記体感空間の内部において、前記試験ガスを所定の流れ方向に供給するものであり、
前記酸素濃度測定手段が、前記試験ガスの流れ方向に沿って、複数の地点で酸素濃度を測定可能に構成され、
前記酸素濃度表示部が、前記酸素濃度測定手段にて測定された複数の測定結果を、前記複数の地点の位置関係に対応させる状態で、表示可能に構成されている点にある。
【００１１】
上記特徴構成によれば、酸素濃度測定手段は、試験ガスの流れ方向に沿って、複数の地点で酸素濃度を測定し、測定した酸素濃度を、複数の地点の位置関係に対応させる状態で、表示させる。
例えば、酸素濃度表示部は、試験ガスの流れ方向で上流側での測定結果を、その表示部において上流側に表示すると共に、下流側での測定結果を、その表示部の下流側に表示する。
これにより、訓練対象者は、表示された酸素濃度を視認することで、試験ガスの流出により、試験ガスの流れ方向における体感空間の内部での酸素濃度の変化状態を、視覚的に把握でき、より直感的に酸素濃度の変化を体感できる。
【００１２】
本発明のガス保安訓練設備の更なる特徴構成は、
前記ガス供給手段は、前記体感空間の内部に前記試験ガスを供給するガス流出口を、前記体感空間の内部に設けると共に、
前記酸素濃度測定手段が、前記体感空間の内部のうち、前記ガス流出口の近傍の近傍位置の酸素濃度を測定可能に構成されていると共に、前記ガス流出口から離間した離間位置の酸素濃度を測定可能に構成されている点にある。
【００１３】
上記特徴構成によれば、酸素濃度測定手段が、ガス流出口の近傍位置と離間位置とで、酸素濃度を測定可能であるから、当該測定された酸素濃度を、個別に酸素濃度表示部に表示することで、訓練対象者は、ガス漏れが起きた場合におけるガス流出口の近傍位置と離間位置とでの酸素濃度の変化状態を、個別に視認することができる。
結果、訓練対象者は、体感空間の内部におけるガス流出口の近傍位置と離間位置とにおける酸素濃度、及びそれらの変化状態を、より直感的に把握できる。
【００１４】
本発明のガス保安訓練設備の更なる特徴構成は、
前記ガス供給手段は、前記試験ガスと共に、当該試験ガスの存在を視覚的に認識可能な有色ガスを供給する点にある。
【００１５】
上記特徴構成によれば、訓練対象者は、有色ガスの広がりを視覚的に確認することで、試験ガスの広がりを間接的に確認できる。これにより、より直感的に、酸素濃度の変化状態を体感できる。
【００１６】
本発明のガス保安訓練設備の更なる特徴構成は、
前記体感空間は、その一部に上部が覆われた擬似掘削空間を有し、
前記ガス供給手段として前記試験ガスを供給するガス流出口が、前記擬似掘削空間に設けられている点にある。
【００１７】
上記特徴構成によれば、体感空間の内部には、擬似掘削空間として、上部が覆われた擬似掘削空間が設けられており、当該擬似掘削空間にガス流出口が設けられているので、当該擬似掘削空間に訓練対象者を侵入させることにより、例えば、ユンボ等により地面を掘削してガス配管を損傷した現場の状態を、より忠実に再現した環境を体感することができる。
【図面の簡単な説明】
【００１８】
【図１】ガス保安訓練設備の平面図
【図２】図１のII−II断面図
【図３】ガス保安訓練設備を体感するフロー図
【発明を実施するための形態】
【００１９】
本発明のガス保安訓練設備１００は、訓練対象者に、ガス漏れが起きている現場に近い環境を、実際に体感させるように構成されている。
図１、２には、本発明のガス保安訓練設備１００の一例として、ガス配管１０が埋設されている地面を掘削したときに、地中のガス配管１０を損傷し、当該損傷部位からガス漏れが発生している現場を再現したものを示している。
本発明のガス保安訓練設備１００は、図１の平面図に示すように、地面を掘削して形成した空間に、体感空間Ｖ１（図１の紙面上方側の空間）と、当該体感空間Ｖ１とは隔離隔壁２０ａにて隔離された見学空間Ｖ２（図１で紙面下方の空間：側方外部空間の一例）とを備えている。
隔離隔壁２０ａは、見学空間Ｖ２の側から体感空間Ｖ１の側を視認可能な視認窓２２を有し、当該視認窓２２は、体感空間Ｖ１の空間部に接してほぼ全面に亘って気体の透過を防止する透明なアクリル板が設置されている。尚、全面に亘ってアクリル板を設置しなくても体感空間Ｖ１内が視認可能であれば、一部分のみアクリル板としてもよい。
これにより、隔離隔壁２０ａは、水平方向（図１で、紙面に沿う方向）で、体感空間Ｖ１の内部の気体が、見学空間Ｖ２の側へ移動することを防止している。
本発明にあっては、体感空間Ｖ１の内部へ、酸素を含有せず、空気より軽い試験ガスＧを流出させるように構成されているのであるが、上記構成により、試験ガスＧが、水平方向で、体感空間Ｖ１の側から、見学空間Ｖ２の側へ、導かれることを防止する。
体感空間Ｖ１は、その上方側が大気に開放していると共に、その側面が、上述の隔離隔壁２０ａを含む第１隔壁２０により外囲されている。
因みに、体感空間Ｖ１は、その幅Ｌ１が、５〜６ｍ程度となっており、その奥行きＬ２が、１〜２ｍ程度となっている。
【００２０】
体感空間Ｖ１には、その一方側（図１で左側）に、土砂３１からその一部が露出した状態で、ガス配管１０が埋設されており、当該露出部位に、ガス配管１０から試験ガスＧを流出させるためのガス流出口１１が設けられている。尚、当該ガス流出口１１は、図２に示すように、その上方側が、土砂３１にて覆われた状態となっている。
ガス配管１０は、第１バルブ１２を介して、都市ガス１３Ａを通流する本管４０と連結されており、当該第１バルブ１２を開放状態することで、都市ガス１３Ａを供給可能に構成されている。
また、ガス配管１０は、第２バルブ１３及びガバナ１４を介して、窒素ガスとヘリウムガスを６１：３９の割合で混合した混合ガスを貯留するガスボンベ１６に連結されている。これにより、第２バルブ１３を開放状態とすることで、ガバナ１４により所定圧力に調整された混合ガスを、ガス配管１０に供給可能に構成されている。
尚、ガス配管１０とガスボンベ１６との間において、第２バルブ１３及びガバナ１４の上流側には、メインバルブ１５が設けており、ガスボンベ１６からのガス漏れを防止している。
さらに、ガス配管１０は、第３バルブ１８を介して、有色ガスを貯留する有色ガス貯留部１７が連結されており、第３バルブ１８を開放状態とすることで、有色ガスをガス配管１０に供給可能に構成されている。
上述した第１バルブ１２、第２バルブ１３、及び第３バルブ１８は、夫々独立に開閉操作可能であると共に、同時に開放状態とすることが可能となっている。これにより、試験ガスＧとして、都市ガス１３Ａ、混合ガス及びこれらのガスに有色ガスを混合したものを、体感空間Ｖ１へ流出させることができる。
以上の如く、ガス配管１０、ガス流出口１１、第１バルブ１２、本管４０、第２バルブ１３、ガバナ１４、メインバルブ１５、ガスボンベ１６、第３バルブ１８、及び有色ガス貯留部１７が、ガス供給手段として働く。
【００２１】
体感空間Ｖ１には、複数の酸素濃度センサＳ１、Ｓ２（酸素濃度測定手段の一例：本実施形態においては、２つ）が設けられており、そのうち、一の酸素濃度センサＳ１が、ガス配管１０のガス流出口１１の近傍位置（図１、２で、左側の位置）に設けられ、他の酸素濃度センサＳ２が、ガス流出口１１から離れた離間位置（図１、２で、右側の位置）に設けられている。
そして、一の酸素濃度センサＳ１の測定結果を表示する第１酸素濃度表示部Ｍ１が設けられると共に、他の酸素濃度センサＳ２の測定結果を表示する第２酸素濃度表示部Ｍ２が設けられている。
この場合、それらの測定結果を表示する酸素濃度表示部Ｍ１、Ｍ２の配置位置は、複数の酸素濃度センサＳ１、Ｓ２の設置関係に対応する状態とすることが好ましい。
具体的には、ガス流出口１１の近傍位置の酸素濃度センサＳ１にて測定された酸素濃度を表示する酸素濃度表示部Ｍ１を、ガス流出口１１から離間した離間位置の酸素濃度センサＳ２にて測定された酸素濃度を表示する酸素濃度表示部Ｍ２より、ガス流出口１１の近傍位置側に設けることが好ましい。
これにより、ガス流通方向における酸素濃度の変化状態を、訓練対象者に、より感覚的に体感させることができる。
【００２２】
体感空間Ｖ１には、地上と体感空間Ｖ１の内部との間で、訓練対象者１０１が移動すべく、第１階段３０が設けられている。訓練対象者１０１は、当該第１階段３０を介して、地上から体感空間Ｖ１の内部に移動して、現場の掘削穴の狭さを体感可能となっている。
【００２３】
尚、当該体感空間Ｖ１には、地中に設けられるのであるが、その内部に雨等が溜まることを防止すべく、その下面に、第１排水ピット３２が設けられている。
さらに、体感空間Ｖ１には、ガス配管１０を埋設している土砂３１が、雨等により、第１排水ピット３２から流出することを防止する仕切板３３が設けられている。
また、体感空間Ｖ１には、その第１隔壁２０を補強すべく、第１隔壁２０の一部に沿う状態で、鋼矢板３４が設けられている。
【００２４】
見学空間Ｖ２は、体感空間Ｖ１との間を隔離する隔離隔壁２０ａを含む第２隔壁２１により、その側面を外囲されている。見学空間Ｖ２の上方は、体感空間Ｖ１と同様に、大気に開放している。
上述したように、本発明にあっては、都市ガス１３Ａ等の試験ガスＧを、体感空間Ｖ１へ流出させるように構成されているが、当該試験ガスＧは、大気よりも軽いため、体感空間Ｖ１から、上方を介して、見学空間Ｖ２へ導かれることはない。
見学空間Ｖ２には、訓練対象者１０１が、地上と当該見学空間Ｖ２との間を移動する第２階段３５が設けられている。また、見学空間Ｖ２の下面には、雨等を排出するための第２排水ピット３６が設けられている。
【００２５】
次に、本発明のガス保安訓練設備１００を用いた訓練の一例を、図３のフロー図に基づいて説明する。
本発明のガス保安訓練設備１００では、まず、訓練対象者１０１は、体感空間Ｖ１に侵入し、実際の現場の掘削穴に近い環境を体感する（♯１）。
実際の現場では、ガス配管１０のガス流出口１１から、都市ガス１３Ａが漏洩している。しかしながら、当該体感空間Ｖ１の内部に、訓練対象者１０１が存在している状態で、都市ガス１３Ａや酸素を含まない混合ガス等の試験ガスＧを流出させると、訓練対象者１０１が窒息等をする虞がある。
そこで、本発明のガス保安訓練設備１００では、体感空間Ｖ１へ試験ガスＧを流出させる前に、訓練対象者１０１を、体感空間Ｖ１から見学空間Ｖ２へ移動させ（♯２）、その後、体感空間Ｖ１の内部へ試験ガスＧを流出させる（♯３）。
ここで、試験ガスＧとして、都市ガス１３Ａ又は混合ガスと共に、有色ガスを同時に流出させることができる。これにより、訓練対象者１０１は、体感空間Ｖ１における試験ガスＧの広がりを、視覚的に確認できる。
【００２６】
次に、酸素濃度センサＳ１を働かせて、ガス流出口１１の近傍位置におけるガス濃度を測定し、その測定結果を第１酸素濃度表示部Ｍ１に表示させると共に、酸素濃度センサＳ２を働かせて、ガス流出口１１から離れた離間位置におけるガス濃度を測定し、その測定結果を第２酸素濃度表示部Ｍ２に表示させる（♯４）。
これにより、訓練対象者１０１は、見学空間Ｖ２から視認窓２２を通して、体感空間Ｖ１における酸素濃度の変化状態を、視覚的に確認することができる（♯５）。
【００２７】
〔別実施形態〕
（１）上記実施形態においては、体感空間Ｖ１及び見学空間Ｖ２は、より現場に近い環境を再現するため、地中に設置したが、別に地上に設置しても良い。
【００２８】
（２）上記実施形態においては、酸素濃度センサは、２つ備えたが、２つ以上の酸素濃度センサを備えると共に、当該酸素濃度センサの個数に対応させて、酸素濃度表示部を設けても構わない。
【００２９】
（３）
本発明にあっては、酸素濃度センサＳ１、Ｓ２にて測定された酸素濃度が、所定の閾値を超えた場合、警報音を発報したり、警報ランプを点灯させたりする警報装置を備えておいてもよい。
ここで、所定の閾値を、人体に影響を及ぼす程度の酸素濃度に設定することで、訓練対象者に、ガス漏れによる危険度をより、的確に体感させることができる。
【００３０】
（４）
上記実施形態においては、複数の酸素濃度センサＳ１、Ｓ２にて、異なる地点における酸素濃度を測定したが、別に一つの酸素濃度センサを設けても良い。
また、別に、異なる地点の酸素濃度を測定可能な一の酸素濃度センサを設けても良い。
さらに、上記実施形態においては、複数の酸素濃度センサＳ１、Ｓ２は、試験ガスＧのガス流出口１１の近傍位置と離間位置との夫々を、酸素濃度を測定するように構成したが、本発明にあっては、当該複数の酸素濃度センサＳ１、Ｓ２を、試験ガスＧの流れ方向に沿う、複数の異なる地点にて、酸素濃度を測定可能に構成しても良い。
この場合、それらの測定結果を表示する酸素濃度表示部Ｍ１、Ｍ２の配置位置は、複数の酸素濃度センサＳ１、Ｓ２の設置関係に対応する状態とすることが好ましい。
例えば、試験ガスＧの流通方向の上流側の酸素濃度センサＳ１にて測定された酸素濃度を表示する酸素濃度表示部Ｍ１を、下流側の酸素濃度センサＳ２にて測定された酸素濃度を表示する酸素濃度表示部Ｍ２より、試験ガスＧの流通方向で、上流側に配置することが好ましい。
これにより、ガス流通方向における酸素濃度の変化状態を、訓練対象者に、より感覚的に体感させることができる。
（５）上記実施形態においては、都市ガス１３Ａや窒素・ヘリウム混合ガスを試験ガスＧとしたが、予め都市ガス１３Ａ（又はメタンガス）を窒素ガス等により希釈した試験ガスＧを貯留するガスボンベから供給するようにしてもよい。また、有色ガスを有色ガス貯留部１７から供給したが、ガス配管１０のガス流出口１１の配管内部に、スモーク液を加熱して白煙等のスモークを発生させるスモークマシンを設置してもよい。
（６）上記実施形態においては、好ましい形態として、酸素含有ガス以外の試験ガスＧとして、空気より軽い都市ガス１３Ａや窒素・ヘリウム混合ガスを用いたが、酸素を含有しなければ、これらのガス種に限定されるものではなく、また、空気より重いプロパンガスやプロパンガスを希釈したガス等を使用してもよい。その場合、体感空間Ｖ１の底部に試験ガスＧが滞留するので訓練対象者１０１の立ち入り前に空気に置換する等の十分な注意が必要である。
（７）上記実施形態においては、隔離隔壁２０ａに視認窓２２を設けたが、隔離隔壁２０ａをほぼ全面透明なアクリル板にて構成しても構わない。
【産業上の利用可能性】
【００３１】
本発明のガス保安訓練設備は、訓練対象者に、ガス漏れが起きている現場に近い環境を、実際に体感させることができる訓練設備として、有効に利用可能である。
【符号の説明】
【００３２】
１１      ：ガス流出口
２０      ：第１隔壁
２０ａ    ：隔離隔壁
２２      ：視認窓
１００    ：ガス保安訓練設備
１０１    ：訓練対象者
Ｇ        ：試験ガス
Ｍ１      ：第１酸素濃度表示部
Ｍ２      ：第２酸素濃度表示部
Ｓ１      ：酸素濃度センサ
Ｓ２      ：酸素濃度センサ
Ｖ１      ：体感空間
Ｖ２      ：見学空間
【図１】
2014002214.tif 000003
【図２】
2014002214.tif 000004
【図３】
2014002214.tif 000005